(57)【要約】    【課題】バッテリーの交換が簡便で、しかも安全性に優れたバッテリー内蔵の電気計測機器を提供する。    【解決手段】バッテリー内蔵電気計測機器は、機器本体１のケース１２内に電源バッテリー４の収納スペースを有する電気計測機器において、ケース１２を覆うように開閉可能な回動カバー２が、開放状態で電源バッテリー４を収納スペースから脱着収納が可能であり、閉鎖状態で開通する開口１５を通ってプローブ３が機器本体１の入出力端６に接続可能となる。【選択図】          図２
2008111733.tif 000002
【特許請求の範囲】
【請求項１】
機器本体のケース内に電源バッテリーの収納スペースを有する電気計測機器において、該ケースを覆う開閉可能な回動カバーが、開放状態で電源バッテリーを収納スペースから脱着収納が可能であり、閉鎖状態で開通する開口を通ってプローブが機器本体の入出力端に接続可能となる構造を備えたことを特徴とするバッテリー内蔵電気計測機器。
【請求項２】
請求項１に記載の電気計測機器がデジタルマルチメータであることを特徴とするバッテリー内蔵電気計測機器。
【請求項３】
該回動カバーの内側に、該収納スペースに開閉蓋が付されていることを特徴とする請求項１に記載のバッテリー内蔵電気計測機器。
【発明の詳細な説明】
【技術分野】
【０００１】
本発明は、電圧、電流、電力、容量、抵抗、インピーダンス、インダクタンス等の電気的データを測定するためのバッテリー内蔵電気計測機器に関するものである。
【背景技術】
【０００２】
電気機器、設備などの点検の際には、回路の電圧等を測定する電気計測機器が広く使用されている。携帯型の電気計測機器の多くは内蔵バッテリーの駆動である。据置型の電気計測機器であっても、内部回路の維持のためにバッテリーを内蔵しているものがある。
【０００３】
通常、バッテリーはケースに収納されネジで蓋を固定されている。そのため、バッテリー交換の度ごとにドライバー等の工具を使用してネジを外す必要があり、面倒である。また、電圧測定中にバッテリーを交換したり、工具を測定器内の回路に接触したりするなどの誤操作を行った場合には、感電の危険性がある。
【０００４】
特許文献１には、電子機器のハウジングにプローブコネクタ用の開口を設け、ハウジングに対してスライドして嵌め合わせるバッテリー・カバーにもプローブコネクタと合う開口を設けた例が示されている。プローブを電子機器から抜いて、バッテリー・カバーをスライドさせることができる構造である。そのため、プローブを抜かなければバッテリー交換ができないから、感電の危険等は回避できる。
【０００５】
【特許文献１】特開平１０−２８２１３９号公報
【発明の開示】
【発明が解決しようとする課題】
【０００６】
しかし、特許文献１のバッテリー・カバーは、スライド嵌め合わせ構造であるため、嵌め合わせの際に位置決めがやり難いという問題がある。またバッテリー・カバーがハウジングから分離するため、バッテリーの交換作業中に紛失してしまうということは、しばしば経験されるところである。
【０００７】
本発明は前記の課題を解決するためになされたもので、バッテリーの交換が簡便で、しかも安全性に優れたバッテリー内蔵の電気計測機器を提供することを目的とする。
【課題を解決するための手段】
【０００８】
前記の目的を達成するためになされた、特許請求の範囲の請求項１に記載されたバッテリー内蔵電気計測機器は、機器本体のケース内に電源バッテリーの収納スペースを有する電気計測機器において、該ケースを覆う開閉可能な回動カバーが、開放状態で電源バッテリーを収納スペースから脱着収納が可能であり、閉鎖状態で開通する開口を通ってプローブが機器本体の入出力端に接続可能となる構造を備えたことを特徴とする。
【０００９】
また、請求項２に記載のバッテリー内蔵電気計測機器は、前記の電気計測機器がデジタルマルチメータであることを特徴とする。
【００１０】
請求項３に記載のバッテリー内蔵電気計測機器は、請求項１に記載されたもので、該回動カバーの内側に、該収納スペースの開閉蓋が付されていることを特徴とする。
【発明の効果】
【００１１】
本発明の電気計測機器の使用により、挿入されたプローブを外さない限り、回動カバーを開いてバッテリーを交換することができないから、誤操作によるプローブを通じた感電の危険性を回避できる。また、挿入されたプローブを外すことで、回動カバーを回動させて開閉できるため、バッテリーの交換がやりやすい。さらに、回動カバーは機器本体と回動軸により連結されているのでバッテリー交換の作業途中に紛失する恐れがない。
【発明を実施するための好ましい形態】
【００１２】
以下、本発明を実施するための好ましい形態を詳細に説明するが、本発明の範囲はこれらの実施形態に限定されるものではない。
【００１３】
本発明を適用する一実施形態のバッテリー内蔵電気計測機器の構造が図１、図２に示してある。
【００１４】
この電気計測機器の計測可能な状態の外観が図１に示されている。電気計測機器は、内部に回路が組み込まれた機器本体１に、プローブ３を挿通できる開口１５を備えた回動カバー２が回動軸１０で支持されている。
【００１５】
図２には、図１に示した電気計測機器の回動カバー２の解放状態、すなわちバッテリーの交換可能状態を示している。機器本体１のケース１２に電源バッテリー４が収納されている。機器本体１の内部には、図示外の回路部が配置され、プローブ挿入口６の電気接点に接続されている。そして電源バッテリー４ははめ込まれた状態で回路部に接続される。回動カバー２には平板にＬ字型の板１１が取り付けられ、そのＬ字型の板１１の中央部が刳られて開口１５が形成されている。
【００１６】
尚、図１に示すように、備機器本体１には、ラバーキー７、ロータリースイッチのつまみ９、データ表示のための液晶表示器８が配置されている。
【００１７】
このバッテリー内蔵電気計測機器を使用してバッテリーが消耗したときには、以下のようにして電源バッテリー４の交換をする。図２に示すように、電気計測機器の回動カバー２を上に向け、プローブ３をプローブ挿入口６から抜く。これにより、開口１５を通るプローブ３がなくなるので、回動カバー２を開け、電源バッテリー４を交換する。交換後、回動カバー２を閉め、プローブ３を開口１５に通して、プローブ挿入口６に挿入する。このようにして、バッテリー内蔵電気計測機器は再度の使用可能状態となる。
【００１８】
上記のように、使用可能状態では、プローブ３が開口１５を挿通しているので、回動カバー２が開かない。そのため、誤操作による感電という事態が発生しない。
【００１９】
図３に本発明を適用する別な実施形態のバッテリー内蔵電気計測機器を示す。電気計測機器は、図１に示した電気計測機器の構造に加え、回動カバー２の内側に開閉蓋１４を備えている。開閉蓋１４は、回動カバー２と同様に、その一端が機器本体１と軸で支持されている。この電気計測機器の電源バッテリーを交換するには、プローブ３をプローブ挿入口６から抜き、回動カバー２を開け、開閉蓋１４を開けてから、電源バッテリー４を交換する。交換後、開閉蓋１４及び回動カバー２を閉めてから、プローブ３を開口１５に通して、プローブ挿入口６に挿入する。
【図面の簡単な説明】
【００２０】
【図１】本発明を適用する一実施形態のバッテリー内蔵電気計測機器の外観を示す斜視図である。
【００２１】
【図２】図１に示したバッテリー内蔵電気計測機器のバッテリー交換時の状態を示す斜視図である。
【００２２】
【図３】本発明を適用する別な一実施形態のバッテリー内蔵電気計測機器の外観を示す斜視図である。
【符号の説明】
【００２３】
１は機器本体、２は回動カバー、３はプローブ、４は電源バッテリー、６はプローブ挿入口、７はラバーキー、８は液晶表示器、９はロータリースイッチのつまみ、１０は回動軸、１１はＬ字型の板、１２はケース、１３はバッテリー金具、１４は開閉蓋、１５は開口である。
【図１】
2008111733.tif 000003
【図２】
2008111733.tif 000004
【図３】
2008111733.tif 000005